(57)【要約】【課題】電子機器において、プラグを接続するときにコネクタに力が加わっても、端子がフレキシブル基板から剥離しないようにする。【解決手段】筐体３に外部接続用コネクタ１０のコネクタ本体１０ａの一端に形成した挿入口１０ｂを露出させる開口３ａを設け、フレキシブル基板１１にコネクタ本体１０ａの他端側から延びる信号端子１０ｃを半田付け１２により接続する。コネクタ本体１０ａの他端側に、フレキシブル基板１１に当接するようにフレキシブル基板１１側へ延びる脚部１０ｄを設ける。【選択図】図１
2014216206.tif 000002
【特許請求の範囲】
【請求項１】
外部接続用コネクタを有する電子機器において、
上記外部接続用コネクタのコネクタ本体の一端に形成した挿入口を露出させる開口を有する筐体と、
上記コネクタ本体の他端側から延びる信号端子が半田付けにより接続される基板と、
上記コネクタ本体の他端側に設けられ、上記基板に当接するように該基板側へ延びる脚部とを備えている
ことを特徴とする電子機器。
【請求項２】
請求項１に記載の電子機器において、
上記基板は、フレキシブル基板であり、該フレキシブル基板の硬質部に上記脚部の先端が当接するとともに、該脚部から延びる金属端子が上記硬質部を貫通し、該金属端子の貫通した先端が該硬質部に固定されている
ように構成されている
ことを特徴とする電子機器。
【請求項３】
請求項２に記載の電子機器において、
上記脚部は、上記信号端子を両側から挟み込むように配置されている
ことを特徴とする電子機器。
【請求項４】
請求項２又は３に記載の電子機器において、
上記脚部先端が当接する上記フレキシブル基板の反対側は、該フレキシブル基板が変形可能な空間が設けられている
ことを特徴とする電子機器。
【請求項５】
請求項１から４までのいずれか１つに記載の電子機器において、
上記コネクタ本体は、上記筐体の開口及び該開口の奥側に固定されたホルダに嵌合によって固定され、
上記コネクタ本体外周には、上記開口内面に当接する防水パッキンが嵌められ、
上記防水パッキンは、上記開口内面の奥側に当接している
ことを特徴とする電子機器。
【発明の詳細な説明】
【技術分野】
【０００１】
本発明は、外部接続用コネクタを有する電子機器に関するものである。
【背景技術】
【０００２】
従来より、携帯電話機などの電子機器は、充電用、外部信号入出力用等のプラグを接続するための外部接続用コネクタを備えることが知られている（例えば、特許文献１参照）。この電子装置では、筐体の開口に挿入されるコネクタは、筐体内に固定された回路基板に半田付けされている。
【先行技術文献】
【特許文献】
【０００３】
【特許文献１】特開２００７−３２９４１３号公報
【発明の概要】
【発明が解決しようとする課題】
【０００４】
しかしながら、従来の電子機器では、回路基板は、板状のプリント基板であり、この筐体堅固に固定されたプリント基板に端子が半田付けされているので、プラグを脱着する際に加わった力が繰り返し加わることにより、半田付けがプリント基板から剥離しやすい、という問題があった。
【０００５】
本発明は、斯かる点に鑑みてなされたものであり、その目的とするところは、プラグを接続するときにコネクタ本体に力が加わっても、端子が基板から剥離しないようにすることにある。
【課題を解決するための手段】
【０００６】
上記の目的を達成するために、この発明では、コネクタ本体に基板に向かって延びる脚部を設けた。
【０００７】
具体的には、本発明では、外部接続用コネクタを有する電子機器を前提とし、
上記電子機器は、
上記外部接続用コネクタのコネクタ本体の一端に形成した挿入口を露出させる開口を有する筐体と、
上記コネクタ本体の他端側から延びる信号端子が半田付けにより接続される基板と、
上記コネクタ本体の他端側に設けられ、上記基板に当接するように該基板側へ延びる脚部とを備えている。
【０００８】
上記の構成によると、プラグの脱着時にコネクタ本体に力が加わっても、信号端子と共に脚部も基板に当接するので、信号端子が基板から浮きにくくなり、半田付けが剥がれない。
【発明の効果】
【０００９】
以上説明したように、本発明によれば、コネクタ本体の挿入口と反対側に基板に当接するように基板側へ延びる脚部を設けたので、プラグを接続するときにコネクタに力が加わったときの端子の基板からの剥離を防ぐことができる。
【図面の簡単な説明】
【００１０】
【図１】本発明の実施形態に係る外部接続用コネクタ及びその周辺を示し、（ａ）が（ｂ）のIa−Ia線断面図であり、（ｂ）が一部拡大背面図であり、（ｃ）が（ｂ）のIc−Ic線断面図である。
【図２】携帯電話機を示し、（ａ）が正面側から見た斜視図であり、（ｂ）が背面側から見た斜視図である。
【図３】携帯電話機を示す分解斜視図である。
【図４】外部接続用コネクタ及びその周辺を拡大して示す斜視図である。
【図５】外部接続用コネクタを示し、（ａ）が背面図であり、（ｂ）が背面側から見た斜視図である。
【発明を実施するための形態】
【００１１】
以下、本発明の実施形態を図面に基づいて説明する。
【００１２】
図１〜図３は、本発明の実施形態の電子機器としての携帯電話機１を示し、この携帯電話機１は、正面側に液晶表示部２を備え、この液晶表示部２が樹脂成形品よりなる筐体３に貼り付けられている。筐体３の背面は、樹脂成形品のリアカバー４で覆われている。筐体３の内部には、液晶表示部２の背面に充電池５が内蔵され、その背面側に同じくメイン基板６が配置されている。
【００１３】
図３及び図４に示すように、筐体３の下端中央には、外部接続用コネクタ１０のコネクタ本体１０ａを挿入するための開口３ａが形成されている。コネクタ本体１０ａは、例えば樹脂成形品よりなり、リアカバー４にも、この開口３ａに合わせて露出口４ａが形成されている。
【００１４】
図１（ｃ）及び図５に示すように、コネクタ本体１０ａの一端には、図３に示すプラグ５０を脱着するための挿入口１０ｂが形成されている。コネクタ本体１０ａの挿入口１０ｂと反対側には、複数の信号端子１０ｃが延びている。この信号端子１０ｃは、半田付け１２により、フレキシブル基板１１の湾曲部に比べて硬質な硬質部１１ａに接続されている。
【００１５】
そして、本発明の特徴として、コネクタ本体１０ａの信号端子１０ｃ側には、フレキシブル基板１１側へ延びる一対の脚部１０ｄが一体に形成されている。この一対の脚部１０ｄの先端は、それぞれ硬質部１１ａに当接している。脚部１０ｄは、信号端子１０ｃを両側から挟み込むように左右に間隔を空けて配置されている。さらに脚部１０ｄには、例えばインサート成形された金属端子１０ｅが延び、その先端が硬質部１１ａを貫通している。この金属端子１０ｅの貫通した先端が硬質部１１ａに半田付けされている。本実施形態では、この金属端子１０ｅがアースの役割を果たしているが、アースの役割を持たない場合には、接着剤で硬質部１１ａに固定してもよい。フレキシブル基板１１の先端には、接続部１１ｂが形成され、この接続部１１ｂがメイン基板６の所定位置に接続されている。コネクタ本体１０ａは、樹脂成形品等よりなるホルダ１３（図３に示す）に嵌合（差し込み）により支持されている。つまり、コネクタ本体１０ａは、ネジ結合に比べて緩やかに支持されており、プラグ５０の挿入時には、若干動くようになっている。
【００１６】
また、コネクタ本体１０ａ外周には、開口３ａ内面に当接するＯリング状の防水パッキン１５が嵌められている。この防水パッキン１５は、開口３ａ内面の奥側（厚肉部の奥側）に当接している。
【００１７】
図１（ａ）及び（ｃ）に示すように、脚部１０ｄ先端が当接するフレキシブル基板１１の正面側には、フレキシブル基板１１が変形可能な空間１４が設けられている。図３に示すように、ホルダ１３は、厚さ方向に延びる複数のリブ１３ａが形成され、一対のリブ１３ａ間の正面側は、開放されている。
【００１８】
このように構成したことにより、本実施形態では、以下の効果が発揮される。
【００１９】
（１）図１に矢印で示すように、プラグ５０の脱着時にコネクタ本体１０ａに力が加わっても、信号端子１０ｃと共に脚部１０ｄもフレキシブル基板１１に当接するので、信号端子１０ｃがフレキシブル基板１１から浮きにくくなり、半田付け１２が剥がれない。
【００２０】
（２）フレキシブル基板１１の適度な柔軟性と堅さがある硬質部１１ａに脚部１０ｄの先端が当接するようにした。また、金属端子１０ｅの貫通した先端を硬質部１１ａに半田付けしたので、硬質部１１ａは、コネクタ本体１０ａに力が加わったときに脚部１０ｄと共にフレキシブル基板１１の硬質部１１ａが押されて変形し、信号端子１０ｃと共に半田付け１２部分も一緒に変形することから、半田付け１２が剥がれにくい。
【００２１】
（３）脚部１０ｄを、信号端子１０ｃを両側から挟み込むように配置したので、ねじり荷重が加わったときでも、一対の脚部１０ｄが信号端子１０ｃの左右いずれかに当接し、半田付け１２が剥がれにくい。
【００２２】
（４）脚部１０ｄ先端が当接するフレキシブル基板１１の反対側にフレキシブル基板１１が変形可能な空間１４を設けたので、脚部１０ｄと半田付け１２部分とが共に適度に変形し、半田付け１２がさらに剥がれにくい。
【００２３】
（５）コネクタ本体１０ａがネジではなく嵌合によって固定されているので、プラグ５０がネジ込まれたときに適度に変形する。そして、防水パッキン１５を開口３ａ内面の奥側に配置したので、ホルダ１３本体をフレキシブル基板１１側から押し込みやすく、防水性を確保しやすい。
【００２４】
したがって、本実施形態に係る電子機器によると、プラグ５０を接続するときにコネクタ本体１０ａに力が加わったときの端子のフレキシブル基板１１からの剥離を防ぐことができる。
【００２５】
（その他の実施形態）
本発明は、上記実施形態について、以下のような構成としてもよい。
【００２６】
すなわち、上記実施形態では、一対の脚部１０ｄを設けているが、左右に幅の広い１本の脚部１０ｄのみを設けてもよい。
【００２７】
上記実施形態では、電子機器は、携帯端末である携帯電話機１としたが、携帯端末であるＰＨＳ（Personal Handy-phone System）、ＰＤＡ(PersonalDigital Assistant)、スマートフォン、パソコン、モバイルツール、電子辞書、電卓、ゲーム機等であってもよく、電子機器である、液晶ディスプレイ、液晶テレビ、ブルーレイ（ＤＶＤ）レコーダ等であってもよい。
【００２８】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００２９】
１      携帯電話機（携帯端末）
２      液晶表示部
３      筐体
３ａ    開口
４      リアカバー
４ａ    露出口
５      充電池
６      メイン基板
１０      外部接続用コネクタ
１０ａ    コネクタ本体
１０ｂ    挿入口
１０ｃ    信号端子
１０ｄ    脚部
１０ｅ    金属端子
１１      フレキシブル基板
１１ａ    硬質部
１１ｂ    接続部
１２      半田付け
１３      ホルダ
１３ａ    リブ
１４      空間
１５      防水パッキン
５０      プラグ
【図１】
2014216206.tif 000003
【図２】
2014216206.tif 000004
【図３】
2014216206.tif 000005
【図４】
2014216206.tif 000006
【図５】
2014216206.tif 000007